(57)【要約】  チューブ用バルブであって、バルブ本体と、入口ポートを有し前記バルブ本体に挿入されるバルブ軸と、第１端部が前記バルブ軸の頂部に挿入されて前記バルブ本体の中に位置してから固定され、第２端部が底部側位置にチューブを保持するバルブ先端と、を有して構成され、チューブがバルブ先端に取付けられているとき開き、バルブ先端から取外されたとき閉じる。【選択図】図１
2015519172.tif 000002
【特許請求の範囲】
【請求項１】
バルブ本体と、入口ポートを有し前記バルブ本体に挿入されるバルブ軸と、第１端部が前記バルブ軸に挿入されて前記バルブ本体の中に位置してから固定され、第２端部がチューブを保持するバルブ先端と、を含んでなるチューブ用バルブであって、
前記チューブが前記バルブ先端に取付けられているとき、前記バルブ軸が前記バルブ本体から離れる方向に移動して開き、液体が入口ポートに流れることができ、
前記チューブが前記バルブ先端から取外されたとき、前記バルブ軸がバルブ本体の方向に移動して閉じ、液体が入口ポートに流れるのを阻止することを特徴とするチューブ用バルブ。
【請求項２】
前記バルブ本体は、さらに中央穴を有し、前記バルブ軸は、相対的に広い領域の第１部位と、狭い領域の第２部位を有し、前記中央穴の一部分が、前記中央穴の第２部位より狭くなっており、
前記中央穴の狭い部分が、前記バルブ軸の第２部位を受け、前記中央穴の第２部位が、前記バルブ軸の広い領域をもつ第１部位を受けることを特徴とする請求項１に記載のチューブ用バルブ。
【請求項３】
入口ポートを有する前記バルブ軸が前記バルブ本体から離れる方向に移動することで、前記バルブ先端の第１端部が前記バルブ軸の第２部位に接触し、前記バルブが開くことを特徴とする請求項２に記載のチューブ用バルブ。
【請求項４】
前記バルブ先端の第２端部が前記チューブに挿入されたとき、前記バルブ先端の第１端部がバルブ軸の第２部位に接触することを特徴とする請求項３に記載のチューブ用バルブ。
【請求項５】
前記中央穴の相対的に狭い部分は、前記バルブ先端の第２端部と共に前記チューブに挿入され、これにより、前記チューブが前記バルブに取付けられているとき、前記バルブが閉じることを阻止することを特徴とする請求項４に記載のチューブ用バルブ。
【請求項６】
前記バルブ先端の第２端部は、チューブが取り外されたとき、バルブ本体から離れる方向に移動し、これにより、前記バルブ先端の第１端部が入口ポートを有する前記バルブ軸の第２部位への接触がなくなり、前記バルブが閉じることを特徴とする請求項５に記載のチューブ用バルブ。
【請求項７】
前記バルブ軸と前記バルブ本体の中央穴は、それぞれ相補的な円錐形状構造であり、チューブ用バルブが閉じているとき、入口ポートを有する前記バルブ軸の円錐形状構造が、中央穴の円錐形状構造より大きく、これにより前記バルブ軸の入口ポートを遮蔽することを特徴とする請求項１乃至６のいずれか１項に記載のチューブ用バルブ。
【請求項８】
流量コントロール機能を有するバルブ本体と、入口ポートを有し前記バルブ本体に挿入されるバルブ軸と、第１端部が前記バルブ軸に挿入されて前記バルブ本体の中に位置してから固定され、第２端部がチューブを保持するバルブ先端と、を有して構成されるチューブ用バルブであって、
前記チューブが前記バルブ先端に取付けられたとき、前記バルブ軸が前記バルブ本体から離れる方向に移動することで前記バルブが開いて、液体が入口ポートに流れることができ、
前記チューブが前記バルブ先端から取り外されたとき、前記バルブ軸がバルブ本体の方向に移動することで前記バルブが閉じて、液体が入口ポートに流れるのを阻止することを特徴とするチューブ用バルブ。
【請求項９】
前記バルブは、低圧及び中圧用途に使用されることを特徴とする請求項１乃至８のいずれかに記載のチューブ用バルブ。
【請求項１０】
前記バルブは、さらに、前記バルブに取付けられる医療用チューブを含むことを特徴とする請求項１乃至９のいずれかに記載のチューブ用バルブ。
【請求項１１】
前記バルブは、医療用チューブが尿収集バッグ取付けチューブである泌尿器カテーテルシステムに位置していることを特徴とする請求項１乃至１０のいずれか１項に記載のチューブ用バルブ。
【請求項１２】
患者に挿入するカテーテル、尿収集バッグ、尿収集バッグ取付けチューブ、チューブ用バルブ、及びチューブから構成され、
前記チューブが、内径４〜６ｍｍで、内表面の少なくとも第１領域で疎水性で連続的に液圧を陰圧にすると共に、その一端部がカテーテルに取付けられ、その反対側端部がチューブ用バルブに取付けられ、前記バルブが、その反対側端部で尿収集バッグに取付けられて、前記チューブ内に保持されている液体を柱状液体の表面張力により前記カテーテルから前記尿収集バッグに移動できるようにする泌尿器カテーテルシステムであって、
前記バルブが、前記尿収集バッグ取付けチューブに取付けられたとき開き、前記尿収集バッグ取付けチューブから取り外されたとき閉じることを特徴とする泌尿器カテーテルシステム。
【請求項１３】
前記泌尿器カテーテルシステムは、さらに液滴下カウンターを有し、前記チューブの反対側端部でチューブが前記液滴下カウンターに取付けられ、前記チューブ用バルブが前記液滴下カウンターに取付けられていることを特徴とする請求項１２に記載の泌尿器カテーテルシステム。
【請求項１４】
前記チューブ用バルブは、前記液滴下カウンターに取付けられたバルブ本体と、入口ポートを有し前記バルブ本体に挿入されるバルブ軸と、第１端部が前記バルブ軸に挿入されて前記バルブ本体の中に位置してから固定され、第２端部が尿収集バッグ取付けチューブに取付けるバルブ先端と、を有して構成され、
前記チューブ用バルブは、前記尿収集バッグ取付けチューブが前記バルブ先端に取付けられたとき、前記バルブ軸が前記バルブ本体から離れる方向に移動することで前記バルブが開いて、液体が入口ポートに流れることができ、
前記尿収集バッグ取付けチューブが前記バルブ先端から取り外されたとき、前記バルブ軸がバルブ本体の方向に移動することで前記バルブが閉じて、液体が入口ポートに流れることを阻止することを特徴とする請求項１３に記載の泌尿器カテーテルシステム。
【請求項１５】
前記バルブ本体は、さらに中央穴を有し、前記バルブ軸は、相対的に広い領域の第１部位と、狭い領域の第２部位を有し、前記中央穴の一部分は、前記中央穴の第２部位より狭くなっており、
前記中央穴の狭い部分は、前記バルブ軸の第２部位を受け、前記中央穴の第２部位は、前記広い領域を有する前記バルブ軸の第１部位を受けることを特徴とする請求項１４に記載の泌尿器カテーテルシステム。
【請求項１６】
入口ポートを有するバルブ軸が前記バルブ本体から離れる方向に移動することで、前記バルブ先端の第１端部が前記バルブ軸の第２部位に接触して前記バルブが開くことを特徴とする請求項１５に記載の泌尿器カテーテルシステム。
【請求項１７】
前記バルブ先端の第２端部が前記尿収集バッグ取付けチューブに挿入されたとき、前記バルブ先端の第１端部が前記バルブ軸の第２部位に接触することを特徴とする請求項１６に記載の泌尿器カテーテルシステム。
【請求項１８】
前記中央穴の狭い部分は、前記バルブ先端の第２端部と共に前記尿収集バッグ取付けチューブに挿入され、これにより、前記尿収集バッグ取付けチューブが前記バルブに取付けられているときにバルブが閉じることを阻止することを特徴とする請求項１７に記載の泌尿器カテーテルシステム。
【請求項１９】
前記バルブ先端の第２端部は、前記尿収集バッグ取付けチューブが取り外されたとき前記バルブ本体から離れる方向に移動し、これにより、前記バルブ先端の第１端部が、入口ポートを有する前記バルブ軸の第２部位と接触しなくなり、前記バルブが閉じることを特徴とする請求項１８に記載の泌尿器カテーテルシステム。
【請求項２０】
前記バルブ軸と前記バルブ本体の中央穴は、それぞれ相補的な円錐形状構造で、前記チューブ用バルブが閉じているとき、入口ポートを有する前記バルブ軸の円錐形状構造が、前記中央穴の円錐形状構造より大きく、これにより前記バルブ軸の入口ポートを遮蔽することを特徴とする請求項１２乃至１９のいずれかに記載の泌尿器カテーテルシステム。
【請求項２１】
カテーテルが挿入された患者の尿の連続排出を高める方法であって、
内径４〜６ｍｍで、内表面の少なくとも第１領域で疎水性で連続的に液圧を陰圧にする疎水性チューブを準備し、
前記疎水性チューブを、泌尿器カテーテルユニットに取付け、
前記疎水性チューブを、液滴下カウンター入口に取付け、
前記液滴下カウンター出口を、バルブ本体と、入口ポートを有し前記バルブ本体に挿入されたバルブ軸と、第１端部が前記バルブ軸に挿入されて前記バルブ本体の中に位置してから固定され、かつその第２端部が尿収集バッグ取付けチューブに取付けられるバルブ先端とで構成されるチューブ用バルブに取付け、ここで、前記疎水性チューブがバルブ先端の第１端部に取り付けられ、
前記バルブ先端の第２端部を、前記尿収集バッグ取付けチューブに取付けて、前記チューブ用バルブを開き、
前記尿収集バッグ取付けチューブを尿収集バッグに取付けて、カテーテルユニットが患者の膀胱から連続的に液体を抜き、その液体を連続的な陰圧下でチューブに流し、
前記バルブ先端の第２端部が前記尿収集バッグ取付けチューブを保持している状態で、
柱状液体を、間断なく、チューブや尿収集バッグの手操作なく、その表面張力によりカテーテルからバルブを経由して収集バッグに移動させることを特徴とするカテーテルが挿入された患者の尿の連続排出を高める方法。
【請求項２２】
前記バルブ本体は、さらに中央穴を有し、前記バルブ軸は、相対的に広い領域の第１部位と、狭い領域の第２部位を有し、前記中央穴の一部分は、前記中央穴の第２部位より狭くなっており、
前記中央穴のより狭い部分は、前記バルブ軸の第２部位を受け、前記中央穴の第２部位は、より広い領域を有する前記バルブ軸の第１部位を受けることを特徴とする請求項２１に記載のカテーテルが挿入された患者の尿の連続排出を高める方法。
【請求項２３】
入口ポートを有する前記バルブ軸が前記バルブ本体から離れる方向に移動することで、前記バルブ先端の第１端部が前記バルブ軸の第２部位に接触して前記バルブが開くことを特徴とする請求項２２に記載のカテーテルが挿入された患者の尿の連続排出を高める方法。
【請求項２４】
前記バルブ先端の第２端部が前記尿収集バッグ取付けチューブに挿入されたとき、前記バルブ先端の第１端部が前記バルブ軸の第２部位に接触することを特徴とする請求項２２に記載のカテーテルが挿入された患者の尿の連続排出を高める方法。
【請求項２５】
前記中央穴のより狭い部分は、前記バルブ先端の第２端部と共に前記尿収集バッグ取付けチューブに挿入され、これにより、前記尿収集バッグ取付けチューブが前記バルブに取付けられているとき、前記バルブが閉じることを阻止することを特徴とする請求項２２に記載のカテーテルが挿入された患者の尿の連続排出を高める方法。
【請求項２６】
前記尿収集バッグ取付けチューブが取り外されたとき、前記バルブ先端の第２端部が前記バルブ本体から離れる方向に移動し、これにより、入口ポートを有する前記バルブ軸の第２部位が前記バルブ先端の第１端部との接触がなくなり、前記バルブが閉じることを特徴とする請求項２２に記載のカテーテルが挿入された患者の尿連続排出を高める方法。
【請求項２７】
前記バルブ軸と前記バルブ本体の中央穴は、相補的な円錐形状構造で、チューブ用バルブが閉じているとき、入口ポートを有するバルブ軸の円錐形状構造が、前記中央穴の円錐形状構造より大きく、これにより前記バルブ軸の入口ポートを遮蔽することを特徴とする請求項２０乃至２６のいずれかに記載のカテーテルが挿入された患者の尿の連続排出を高める方法。
【請求項２８】
患者に挿入されるカテーテル、カテーテルチューブ、チューブ用バルブ、および尿収集バッグ取付けチューブを有する尿収集バッグ、からなり、
前記カテーテルチューブは、その一端部で前記カテーテルに取付けられ、反対側端部で前記バルブの一端部に取付けられ、前記チューブ用バルブの反対側端部で前記尿収集バッグ取付けチューブに取付けられて、前記尿収集バッグ取付けチューブが取付けられたときに液体が流れることができ、前記尿収集バッグ取付けチューブが取り外されたときに液体が流れないことを特徴とする泌尿器カテーテルシステム。
【請求項２９】
前記バルブは、バルブ本体と、入口ポートを有し前記バルブ本体に挿入されるバルブ軸と、第１端部が前記バルブ軸に挿入されて前記バルブ本体の中に位置してから固定され、第２端部が尿収集バッグ取付けチューブを保持するバルブ先端と、を有して構成されることを特徴とする請求項２８に記載の泌尿器カテーテルシステム。
【請求項３０】
前記バルブ本体は、さらに中央穴を有し、前記バルブ軸は、相対的に広い領域の第１部位と、狭い領域の第２部位を有し、前記中央穴の一部分は、前記中央穴の第２部位より狭くなっており、
前記中央穴のより狭い部分は、前記バルブ軸の第２部位を受け、前記中央穴の第２部位は、広い領域を有する前記バルブ軸の第１部位を受けることを特徴とする請求項２９に記載の泌尿器カテーテルシステム。
【請求項３１】
入口ポートを有する前記バルブ軸が前記バルブ本体から離れる方向に移動することで、前記バルブ先端の第１端部は、前記バルブ軸の第２部位に接し、前記バルブが開くことを特徴とする請求項３０に記載の泌尿器カテーテルシステム。
【請求項３２】
前記バルブ先端の第２端部は、前記尿収集バッグ取付けチューブに挿入されることで、前記バルブ先端の第１端部が前記バルブ軸の第２部位に接触することを特徴とする請求項３０に記載の泌尿器カテーテルシステム。
【請求項３３】
前記中央穴の相対的に狭い部分は、前記バルブ先端の第２端部と共に前記尿収集バッグ取付けチューブに挿入され、これにより、前記尿収集バッグ取付けチューブが前記バルブに取付けられているとき、前記バルブが閉じることを阻止することを特徴とする請求項３０に記載の泌尿器カテーテルシステム。
【請求項３４】
前記バルブ先端の第２端部は、尿収集バッグ取付けチューブが取り外されたとき、前記バルブ本体から離れる方向に移動し、これにより前記バルブ先端の第１端部が前記バルブ軸の第２部位に接触しなくなり、前記バルブが閉じることを特徴とする請求項３０に記載の泌尿器カテーテルシステム。
【請求項３５】
前記バルブ軸と前記バルブ本体の中央穴は、それぞれ相補的な円錐形状構造を備え、チューブ用バルブが閉じているとき、入口ポートを有するバルブ軸の円錐形状構造が、前記中央穴の円錐形状構造より大きく、これにより前記バルブ軸の入口ポートを遮蔽することを特徴とする請求項２８乃至３４のいずれかに記載の泌尿器カテーテルシステム。
【発明の詳細な説明】
【技術分野】
【０００１】
本発明は、一般に低圧及び中圧の用途に使用できる新規なチューブ用バルブに係り、特に、例えばカテーテルが挿入された患者から尿を取るためのシステムに使用され、患者の尿と接触するのを回避出来る新規な医療用バルブに関するものである。
【背景技術】
【０００２】
医療チームが、液体の入った使い捨て収集バッグの交換を必要とする液体分離システムや診断治療システムに従事する必要がある状況が多々存在する。そのような業務に従事する際、尿、血液、またはその他毒性や細胞毒性を有する液体が漏れ出て、周囲環境や医療チームの手を汚すことが生じる。
【発明の概要】
【０００３】
本発明は、少なくともいくつかの実施形態によると、特に医療に使用できる新規なチューブ用バルブを目的としている。医療の使用では、この医療チューブ用バルブは、任意に尿収集システムで使用され、例えば、使用している収集バッグを取り外し、そして新しいバッグに交換するのに使用され、交換を行う医療チームと収集バッグ中の液体との接触をなくし、それ故に、周囲及び医療スタッフを清潔に維持する。
【０００４】
少なくとも本発明のいくつかの実施形態によると、本発明は、医療チームと尿の間の直接接触を阻止する新規なチューブ用バルブを使用して、患者から尿を収集する衛生システムと方法を提供する。
【０００５】
このバルブは、非医療用の用途のために、任意に使用されてもよく、例えば、所望しない物質の受け器を交換するとき、その物質に接触したくない状況でチューブに取付けるに使用できる。この使用は、腐食性液体の濃度測定、残留物確認、残留物の排出のために、その流れから採取するときなどがある。
【０００６】
少なくともいくつかの実施形態によると、チューブ用バルブが提供され、このチューブ用バルブは、バルブ本体と、入口ポートを有しバルブ本体に挿入されるバルブ軸と、第１端部がバルブ軸に挿入されてバルブ本体の中に位置してから固定され、第２端部がチューブを保持するバルブ先端と、を有して構成され、チューブがバルブ先端に取付けられているとき、バルブ軸がバルブ本体から離れる方向に移動して開き、液体が入口ポートに流れることができ、チューブがバルブ先端から取外されたとき、バルブ軸がバルブ本体の方向に移動して閉じ、液体が入口ポートに流れるのを阻止する。
【０００７】
任意に、バルブ本体は、さらに中央穴を有し、バルブ軸は、相対的に広い領域の第１部位と、狭い領域の第２部位を有し、中央穴の一部分が中央穴の第２部位より狭くなっており、中央穴の狭い部分がバルブ軸の第２部位を受け、中央穴の第２部位がバルブ軸の広い領域をもつ第１部位を受ける。
【０００８】
また、任意に、入口ポートを有するバルブ軸がバルブ本体から離れる方向に移動することで、バルブ先端の第１端部がバルブ軸の第２部位に接触し、バルブが開く。
【０００９】
また、任意に、バルブ先端の第２端部がチューブに挿入されたとき、バルブ先端の第１端部がバルブ軸の第２部位に接触する
【００１０】
また、任意に、中央穴の相対的に狭い部分は、バルブ先端の第２端部と共にチューブに挿入され、これにより、チューブがバルブに取付けられているとき、バルブが閉じるのを阻止する。
【００１１】
また、任意に、バルブ先端の第２端部は、チューブが取り外されたとき、バルブ本体から離れる方向に移動し、これにより、バルブ先端の第１端部が入口ポートを有するバルブ軸の第２部位への接触がなくなり、バルブが閉じる。
【００１２】
また、任意に、バルブ軸とバルブ本体の中央穴は、それぞれ相補的な円錐形状構造であり、チューブ用バルブが閉じているとき、入口ポートのあるバルブ軸の円錐形状構造が、中央穴の円錐形状構造より大きく、これによりバルブ軸の入口ポートを遮蔽する。
【００１３】
少なくとも本発明のいくつかの実施形態によると、チューブ用バルブが提供され、このチューブ用バルブは、流量コントロール機能を有するバルブ本体と、入口ポートを有し、バルブ本体に挿入されるバルブ軸と、第１端部がバルブ軸に挿入されてバルブ本体の中に位置してから固定され、第２端部がチューブを保持するバルブ先端と、を有して構成され、チューブがバルブ先端に取付けられたとき、バルブ軸がバルブ本体から離れる方向に移動することでバルブが開いて、液体が入口ポートに流れることができ、チューブがバルブ先端から取り外されたとき、バルブ軸がバルブ本体の方向に移動することでバルブが閉じて、液体が入口ポートに流れることを阻止する。
【００１４】
任意に、前記バルブは、低圧及び中圧用途に使用される。
【００１５】
任意に、前記バルブは、さらにバルブに取付けられる医療用チューブを含むものである。
【００１６】
また、任意に、前記バルブは、医療用チューブが尿収集バッグ取付けチューブである泌尿器カテーテルシステムに位置している。
【００１７】
少なくとも本発明のいくつかの実施形態によると、泌尿器カテーテルシステムが提供され、この泌尿器カテーテルシステムは、患者に挿入するカテーテル、尿収集バッグ、尿収集バッグ取付けチューブ、チューブ用バルブ、及びチューブから構成され、チューブが、内径４〜６ｍｍで、内表面の少なくとも第１領域で疎水性で連続的に液圧を陰圧にすると共に、その一端部がカテーテルに取付けられ、その反対側端部がチューブ用バルブに取付けられ、バルブが、その反対側端部で尿収集バッグに取付けられて、チューブ内に保持されている液体を柱状液体の表面張力によりカテーテルから収集バッグに移動できるように構成されている泌尿器カテーテルシステムであって、バルブが、尿収集バッグに取付けられたとき開き、尿収集バッグから取り外されたとき閉じる。
【００１８】
任意に、泌尿器カテーテルシステムは、さらに液滴下カウンターを有し、チューブの反対側端部でチューブが液滴下カウンターに接続され、チューブ用バルブが液滴下カウンターに接続されている。
【００１９】
また、任意に、チューブ用バルブは、液滴下カウンターに取付けられたバルブ本体と、入口ポートを有しバルブ本体に挿入されるバルブ軸と、第１端部がバルブ軸に挿入されてバルブ本体の中に位置してから固定され、第２端部が尿収集バッグ取付けチューブに取付けるバルブ先端とを有して構成され、チューブ用バルブは、尿収集バッグ取付けチューブがバルブ先端に取付けられたとき、バルブ軸がバルブ本体から離れる方向に移動することでバルブが開いて、液体が入口ポートに流れることができ、尿収集バッグ取付けチューブがバルブ先端から取り外されたとき、バルブ軸がバルブ本体の方向に移動することでバルブが閉じて、液体が入口ポートに流れるのを阻止する。
【００２０】
また、任意に、バルブ本体は、さらに中央穴を有し、バルブ軸は、相対的に広い領域の第１部位と、狭い領域の第２部位を有し、中央穴の一部分は、中央穴の第２部位より狭くなっていて、中央穴の狭い部分は、バルブ軸の第２部位を受け、中央穴の第２部位は、広い領域を有するバルブ軸の第１部位を受ける。
【００２１】
また、任意に、入口ポートを有するバルブ軸がバルブ本体から離れる方向に移動することで、バルブ先端の第１端部がバルブ軸の第２部位に接触してバルブが開く。
【００２２】
また、任意に、バルブ先端の第２端部が尿収集バッグ取付けチューブに挿入されたとき、バルブ先端の第１端部がバルブ軸の第２部位に接触する。
【００２３】
また、任意に、中央穴の狭い部分は、バルブ先端の第２端部と共に尿収集バッグ取付けチューブに挿入され、これにより、尿収集バッグ取付けチューブがバルブに取付けられているときにバルブが閉じるのを阻止する。
【００２４】
また、任意に、バルブ先端の第２端部は、尿収集バッグ取付けチューブが取り外されたときバルブ本体から離れる方向に移動し、これにより、バルブ軸の第１端部が、入口ポートを有するバルブ軸の第２部位と接触しなくなり、バルブが閉じる。
【００２５】
また、任意に、バルブ軸とバルブ本体の中央穴は、それぞれ相補的な円錐形状構造で、チューブ用バルブが閉じているとき、入口ポートを有するバルブ軸の円錐形状構造が、中央穴の円錐形状構造より大きく、これによりバルブ軸の入口ポートを遮蔽する。
【００２６】
少なくとも本発明のいくつかの実施形態によると、カテーテルが挿入された患者の尿連続排出を高める方法が提供され、この方法は、内径４〜６ｍｍで、内表面の少なくとも第１領域で疎水性で連続的に液圧を陰圧にする疎水性チューブを準備し、疎水性チューブを泌尿器カテーテルユニットに取付け、疎水性チューブを液滴下カウンター入口に取付け、液滴下カウンター出口を、バルブ本体と、入口ポートを有しバルブ本体に挿入されたバルブ軸と、第１端部がバルブ軸に挿入されてバルブ本体の中に位置してから固定され、かつその第２端部が尿収集バッグ取付けチューブに取付けられるバルブ先端とで構成されるチューブ用バルブに取付け、バルブ先端の第２端部を、尿収集バッグ取付けチューブに取付けて、チューブ用バルブを開き、尿収集バッグ取付けチューブを尿収集バッグに取付けて、カテーテルユニットが患者の膀胱から連続的に液体を抜き、その液体を連続的な陰圧下でチューブに流し、バルブ先端の第２端部が尿収集バッグ取付けチューブを保持している状態で、柱状液体を、間断なく、チューブや尿収集バッグの手操作なく、その表面張力によりカテーテルからバルブを経由して収集バッグに移動させる。
【００２７】
また、任意に、バルブ本体は、さらに中央穴を有し、バルブ軸は、相対的に広い領域の第１部位と、狭い領域の第２部位を有し、中央穴の一部分は、中央穴の第２部位より狭くなっており、中央穴の狭い部分は、バルブ軸の第２部位を受け、中央穴の第２部位は、バルブ軸の第１部位を受ける。
【００２８】
また、任意に、入口ポートを有するバルブ軸がバルブ本体から離れる方向に移動することによって、バルブ先端の第１端部がバルブ軸の第２部位に接触してバルブが開く。
【００２９】
また、任意に、バルブ先端の第２端部が尿収集バッグ取付けチューブに挿入されたとき、バルブ先端の第１端部がバルブ軸の第２部位に接触する。
【００３０】
また、任意に、中央穴のより狭い部分は、バルブ先端の第２端部と共に尿収集バッグ取付けチューブに挿入され、これにより、尿収集バッグ取付けチューブがバルブに取付けられているとき、バルブが閉じるのを阻止する。
【００３１】
また、任意に、尿収集バッグ取付けチューブが取り外されたとき、バルブ先端の第２端部がバルブ本体から離れる方向に移動し、これにより、入口ポートを有するバルブ軸の第２部位がバルブ先端の第１端部との接触がなくなり、バルブが閉じる。
【００３２】
また、任意に、バルブ軸とバルブ本体の中央穴は、相補的な円錐形状構造で、チューブ用バルブが閉じているとき、入口ポートを有するバルブ軸の円錐形状構造が、中央穴の円錐形状構造より大きく、これによりバルブ軸の入口ポートを遮蔽する。
【００３３】
少なくとも本発明のいくつかの実施形態によると、泌尿器カテーテルシステムが提供され、この泌尿器カテーテルシステムは、患者に挿入されるカテーテルと、カテーテルチューブと、チューブ用バルブと、尿収集バッグ取付けチューブを有する尿収集バッグと、からなり、カテーテルチューブは、その一端部でカテーテルに取付けられ、反対側端部でバルブの一端部に取付けられ、チューブ用バルブの反対側端部で尿収集バッグ取付けチューブに取付けられて、尿収集バッグ取付けチューブが取付けられたときに液体が流れることができ、尿収集バッグ取付けチューブが取り外されたときに液体が流れない。
【００３４】
任意に、前記バルブは、バルブ本体と、入口ポートを有しバルブ本体に挿入されるバルブ軸と、第１端部がバルブ軸に挿入されてバルブ本体の中に位置してから固定され、第２端部が尿収集バッグ取付けチューブを保持するバルブ先端と、を有して構成される。
【００３５】
また、任意に、バルブ本体は、さらに中央穴を有し、バルブ軸は、相対的に広い領域の第１部位と、狭い領域の第２部位を有し、中央穴の一部分は、中央穴の第２部位より狭くなっており、中央穴のより狭い部分は、バルブ軸の第２部位を受け、中央穴の第２部位は、広い領域を有するバルブ軸の第１部位を受ける。
【００３６】
また、任意に、入口ポートを有するバルブ軸をバルブ本体から離れる方向に移動することによって、バルブ先端の第１端部は、バルブ軸の第２部位に接し、バルブが開く。
【００３７】
また、任意に、バルブ先端の第２端部は、尿収集バッグ取付けチューブに挿入されることによって、バルブ先端の第１端部がバルブ軸の第２部位に接触する。
【００３８】
また、任意に、中央穴の相対的に狭い部分は、バルブ先端の第２端部と共に尿収集バッグ取付けチューブに挿入され、これにより、尿収集バッグ取付けチューブがバルブに取付けられているとき、バルブが閉じるのを阻止する。
【００３９】
また、任意に、バルブ先端の第２端部は、尿収集バッグ取付けチューブが取り外されたとき、バルブ本体から離れる方向に移動し、これによりバルブ先端の第１端部が入口ポートを有するバルブ軸の第２部位に接触しなくなり、バルブが閉じる。
【００４０】
また、任意に、バルブ軸とバルブ本体の中央穴は、それぞれ相補的な円錐形状構造を備え、チューブ用バルブが閉じているとき、入口ポートを有するバルブ軸の円錐形状構造が、中央穴の円錐形状構造より大きく、これによりバルブ軸の入口ポートを遮蔽する。
【図面の簡単な説明】
【００４１】
本開示の実施形態の例示的な実施例を、添付の図を参照して以下に説明する。それらの図面において、複数の図面に示した同一の構造、要素又は部品は、一般的に、それらが示された全ての図面において同一の数字を付している。図示された構成部分及び形状の寸法は、一般に、表現上の便宜性と明確化のために選択されており、必ずしも縮尺通りではない。提示された図面の多くは概略図であって、図示の都合上、要素によっては非常に単純化されて描かれており、あるいは縮尺通りではない。この図面は生産用の図面を意図したものではない。図面は以下に列挙したものである。
【００４２】
【図１】本発明の実施形態によるバルブを有する泌尿器カテーテルキットを示す概略図である。
【図２】本発明の実施形態による図１の詳細を示す。
【図３】本発明の実施形態による医療のチューブ用バルブを示す分解立体図である。
【図４】本発明の実施形態による、図３のバルブが閉じた位置にある場合の概略断面図である。
【図５】本発明の実施形態による、図３のバルブが開いた位置にある場合の概略断面図である。
【図６】本発明の実施形態による、図３のバルブが開いた位置にあって、液体が流れることができる状態の概略断面図である。
【図７】本発明の実施形態による、図３のバルブが引かれて閉じた位置にあって、液体が流れることができない状態の概略断面図である。
【図８】本発明の実施形態による、図３のバルブが押し込まれて開いた位置にあって、液体が流れることができる状態の概略断面図である。
【発明を実施するための形態】
【００４３】
以下の記載においては、低圧及び中圧の様々な用途に使用される新規なチューブ用バルブの様々な実施形態を説明する。説明上、本装置の完全な理解に資するために、特定の構成と詳細を記載している。本開示の様々な態様は、一つの実施形態で記載されるが、その態様は、別々にまたは適切な組み合わせで実現されてもよい。逆に、本開示は明確化のため別個の実施形態で記載されていてもよいが、本開示は一つの実施形態で記載している。
【００４４】
さらに、当然のことながら、本開示は、様々な方法で実施することができ、以下、本明細書で説明される例示的態様以外の実施形態でも実施され得るものである。詳細な説明及び特許請求の範囲において提示される記載、実施例、諸材料は限定的なものでなく、例示的なものとして解されるべきである。
【００４５】
“右”と“左”、“上”と“下”、“頂上”と“底”、“水平”と“垂直”、“相対的に高い”“相対的に低い”のような相対的な方向あるいは位置を示す用語も、限定されずに使用され得る。
【００４６】
図１と図２を参照すると、泌尿器カテーテルキット（ｕｒｉｎａｒｙ  ｃａｔｈｅｔｅｒｉｚａｔｉｏｎ  ｋｉｔ）を概略的に説明している。泌尿器カテーテルキット１００は、本発明の実施形態に沿って、カテーテル１０２、カテーテルチューブ１０４、受け貯槽（ｒｅｃｅｉｖｉｎｇ  ｒｅｓｅｒｖｏｉｒ）１０８、滴下チャンバ（ｄｒｏｐ  ｃｈａｍｂｅｒ）１１０、本発明のバルブ１２０、尿収集バッグ取付けチューブ１３０、及び泌尿器カテーテルキット１００を尿収集バッグ１３４への取付け手段１３２、からなっている。バルブ１２０は、バルブ本体１２２、バルブ軸１２４、及びバルブ先端１２６からなり、以下に詳細に記載する。
【００４７】
この図で説明する実施形態では、バルブ１２０は、滴下チャンバ１１０と取付けチューブ１３０の間に位置している。バルブ本体の入口１２２は、好ましくは滴下チャンバ１１０の出口が取付けられ、別の保持手段を用いる必要なしにその場所に保持できる大きさである。保持手段のない入口直径が８ｍｍ以内である任意の実施形態では、バルブ１２０は、凡そ４バール（ｂａｒ）を超えない中圧あるいは高圧で取付けられ保持できる。
【００４８】
バルブ１２０の出口は、好ましくは、尿収集バッグ取付けチューブ１３０が取付けられ、なんら保持手段なしにその場所に保持できる大きさである。
【００４９】
泌尿器カテーテルシステムが使用されるとき、バルブ１２０の開閉は、視て認識できるもので、交換をする医療チームと収集バッグ中の液体との接触なしに、収集バッグ１３４の取外しと交換ができ、それ故、周囲と医療スタッフを清潔に保てる。取付けチューブ１３０を備えた収集バッグ１３４をバルブ１２０から取外すあるいは分離すると、バルブ１２０は引かれて閉じ、液体の流出を阻止する。チューブ１３０を付属している収集バッグ１３４をバルブ１２０に押しつけるあるいは接続すると、バルブ１２０は押されて開き、液体の流れができるようになる。このメカニズムは、以下に詳細に記載する。
【００５０】
本発明の１つの好ましい実施形態では、バルブは、ここに参照して引用し、本出願人と同じ出願人による米国特許出願２０１０／０２８６６６７号（以下、“６６７号”）に詳述されている泌尿器カテーテル装置に使用できる。図１に示した装置は、上記参照文献の装置と類似しており、以下に記載される要素と同一または類似の要素を選択的に有してもよい。
【００５１】
“６６７号”に説明されている装置は、カテーテルが挿入された患者の尿の連続的流出を促進し、患者の尿路伝染病を防ぐようにされている。この装置は、カテーテルチューブが、内径が４〜６ｍｍで、好ましくは磨かれた疎水性の内表面を有し、患者の膀胱から尿の流れる最初の点でチューブの狭いことと疎水性表面の反発による表面張力により水圧で５０ｃｍ未満の連続的な陰圧になって、これにより、使用中チューブは常に尿で満たされている。その結果、チューブ中に自然の陰圧が形成され、クローズドシステムで、膀胱から連続的に尿を吸引し、定常的な流れで膀胱を常に空にして、膀胱近傍でのチューブ中に空気域を作らず、バクテリアの成長をさせない。
【００５２】
連続的な陰圧にあることは、チューブが常に尿で満たされていることを意味するので、医療スタッフは、尿バッグが一杯になったときの交換する難しさがあるかもしれない。なんら制限することなく、バルブ１２０は、この問題の解決策を与えるものであり、尿収集バッグ１３４のような尿バッグ、あるいは任意の他の尿バッグを清潔に、無菌状態で交換できる。取付けチューブ１３０を備えた収集バッグ１３４をバルブ１２０から取外すとき、バルブ１２０は閉じ、バルブ１２０からの流出がない。さらに、使用に際し、収集バッグ１３４を交換するとき、収集バッグ１３４の取付けチューブ１３０以外に触れる必要がないので、バルブ１２０は、人が尿あるいは他の生物学上危険物と直接の接触を防いでいる。
【００５３】
図３は、本発明の実施形態による医療のチューブ用バルブを示す分解立体図である。バルブ３００は、バルブ軸３１０、バルブ本体３３０、及びバルブ先端３４０の３つの部品でなっている。
【００５４】
バルブ軸３１０は、好ましくは、細長い中空円筒形状部位であるバルブ軸シリンダ３１２を有し、それより幅広のバルブ軸頂部３１４に接続されている。バルブ軸シリンダ３１２は、好ましくは、円錐形状表面（ｃｏｎｉｃａｌ  ｓｕｒｆａｃｅ）３１６を有している。また、バルブ軸３１０は、好ましくは、バルブ軸頂部３１４の下に位置して１つ以上の軸入口ポート３１８及びバルブ軸出口３２０を有している。円錐形状表面３１６は、任意に、フラストコニカル（ｆｒｕｓｔｃｏｎｉｃａｌ）な表面であってよい。
【００５５】
バルブ本体３３０は、バルブ入口チャンバ３３２、及び中央穴３３４を有している。バルブ入口チャンバ３３２は、好ましくは、外径が図１に示した泌尿器カテーテルキットの滴下チャンバ１１０、あるいは任意に他のチューブあるいはバルブ３００の取付け手段の内径より僅かに小さくして、バルブ本体３３０を滴下チャンバ１１０、チューブ、あるいは取付け手段と密に接合できるようにされている。取付け手段は、さらに以下に記載する。
【００５６】
中央穴３３４は、好ましくは中空円筒形状で、その内径をバルブ軸シリンダ３１２の外径より僅かに大きくする。中央穴３３４の内表面３３６は、好ましくは、円錐形状構造またはフラストコニカル形状で、バルブ軸シリンダ３１２の円錐形状構造またはフラストコニカルな表面３１６と合致するように形成される。これらの寸法は、好ましくはバルブ軸シリンダ３１２の円錐形状表面３１６が、中央穴３３４の内表面３３６とぴったり合って挿入できるようにするものである。
【００５７】
バルブ先端３４０は、好ましくは、チューブ取付け部３４２、バルブ軸挿入部３４４、及びバルブ出口３４６でなっている。チューブ取付け部３４２は、好ましくは、円錐形状構造に形成され、その外径が、泌尿器カテーテルキットの取付けチューブ１３０の内径と同じか僅かに大きくし、バルブ３００が使用する上述の取付けチューブ１３０または任意に他の取付け部品が、バルブと密に接合できるようにする。
【００５８】
バルブ軸挿入部３４４は、好ましくはその外径が、バルブ軸出口３１０より僅かに小さくする。これで、バルブ先端３４０のバルブ軸挿入部３４４は、挿入した後に任意に接着剤または超音波溶接で恒久的にバルブ軸出口３１０に固定できる。
【００５９】
本発明の実施形態による、閉じた位置、及び開いた位置にある場合におけるバルブ３００を説明する図４及び図５を参照する。
【００６０】
図４は、本発明の実施形態による、閉じた位置にある図３のバルブ３００の概略断面図である。図示しているように、組立てられたバルブは、好ましくは、バルブ軸３１０がバルブ本体３３０に挿入されている。バルブ軸出口３１０は、バルブ先端３４０のバルブ軸挿入部３４４に取付けられている。組み立てられたバルブ軸とバルブ先端は、バルブ本体内で上下に移動することができる。
【００６１】
バルブ３００が閉じた位置にあるとき、軸入口ポート３１８は、中央穴３３４の内表面３３６で遮蔽されている。バルブ軸３１０の円錐形状構造表面３１６は、中央穴３３４の円錐形状構造の内表面３３６に対して軽く押しつけている。この障害を作る円錐形状構造により、その接合は容易に壊される。バルブが閉じた位置にあるとき、バルブ本体３３０とバルブ先端３４０のチューブ取付け部３４２の間に隙間４１０がある。
【００６２】
図５は、本発明の実施形態による、図３のバルブ３００が開いた位置にある場合の概略断面図である。バルブ３００が開いた位置にあるとき、組み立てられたバルブ軸３１０とバルブ先端３４０は共に上昇して隙間４１０をなくす。軸入口ポート３１８は、中央穴３３４の内表面３３６によって遮蔽されない。
【００６３】
本発明の実施形態に従って、それぞれバルブが開いた位置で液体が流れる状態、バルブが引かれて閉じた位置で液体が流れることができない状態、バルブが押し込まれて開き液体が流れる状態を説明する図６、図７及び図８を参照する。
【００６４】
図示したように、バルブ入口チャンバ３３２は、好ましくは、液体源に取付けられる。液体源は、任意に図１のカテーテルアッセンブリ１００の滴下チャンバ１１０を含むことができる液体源、あるいはバルブが使用される適用に依る液体源である。この取付けは、液体源の出口取付け部６１０をバルブ入口チャンバ３３２の外表面にスライドさせてできる。上記したように、バルブ入口チャンバ３３２の寸法と形状は、好ましくは、使用される液体源の出口取付け部６１０に合致したものである。
【００６５】
バルブ３００の出口は、好ましくは、図１のカテーテルアッセンブリ１００の取付けチューブ１３０が任意に有する液体の出口、あるいはバルブが使用される適用に依存する多の液体の出口に取付けられる。この取付けは、液体出口の取付けチューブ６２０を、チューブ取付け部３４２と中央穴３３４の外表面上にスライドさせて行う。上述したように、チューブ取付け部３４２の寸法と形状は、好ましくは使用される取付けチューブ６２０と一致させる。チューブ取付け部３４２の円錐形状構造は、好ましくは、取付けチューブ６２０がバルブ上にスライドさせたとき容易に変形するようにする。
【００６６】
図６は、本発明の実施形態による、図３のバルブ３００が開いた位置にあって、液体が流れることができる状態の概略断面図である。バルブ３００が開いた位置にあるとき、バルブ本体３３０のバルブ入口チャンバ３３２に蓄積された液体５１０は、バルブ軸３１０にある入口ポート３１８及び軸シリンダ３１２を通って流れ、バルブ先端３４０の出口ポート３４６からバルブを出る。取付けチューブ６２０は、中央穴３３４の外表面とバルブ先端３４０の外表面を把むことで、バルブ３００を開いた位置に保持している。
【００６７】
図７は、本発明の実施形態による、図３のバルブ３００が引かれて閉じた位置にあって、液体が流れることができない状態の概略断面図である。取付けチューブ６２０がバルブから引き抜かれると、バルブ先端３４０は、チューブ取付け部３４２に対する摩擦により下方に引かれる。バルブ先端３４０に取付けられたバルブ軸３１０も下降し、軸入口ポート３１８が中央穴３３４の内表面３３６で遮蔽され、入口チャンバ３３２に蓄積されていた液体５１０がそれ以上バルブを通って流れるのを阻止する。バルブ軸３１０の円錐形状構造表面３１６は、中央穴３３４の円錐形状構造内表面３３６に対して軽く合わさって押し付け、バルブが閉じる。
【００６８】
図８は、本発明の実施形態による、図３のバルブ３００が押し込まれて開いた位置にあって、液体が流れることができる状態の概略断面図である。取付けチューブ６２０を、バルブ先端３４０の取付け部３４２の円錐形状構造表面の上で押し込むことでバルブ３００に力を加えると、バルブ先端が上向きに押される。バルブ先端３４０に取付けられたバルブ軸３１０もまた、バルブ軸３１０の円錐形状構造表面３１６と中央穴３３４の円錐形状構造内表面３３６の間の軽い摩擦係合を解消して押し上げられる。軸入口ポート３１８は、中央穴３３４から押され出て、入口チャンバ３３２に蓄積されていた液体５１０が、再び軸入口ポート３１８とバルブ軸３１０の軸シリンダに流れ、バルブ先端３４０の出口ポート３４６を通ってバルブを出る。取付けチューブ６２０は、中央穴３３４の外表面とバルブ先端３４０の外表面を把むことでバルブ３００を開いた位置に保持している。
【００６９】
本発明のバルブは、尿バッグやその他収集された分泌液体の交換を、清潔に無菌状態で行うことができるようにする。チューブを、本発明のバルブから引き抜くと、バルブは閉じ、液体がバルブを通って流れることができない。さらに、使用に際し、収集バッグを交換するときに、収集バッグ外部の取付けチューブ６２０以外の他に触れる必要がないので、このバルブは、人が尿やその他生物学上危険な物との直接の接触を防ぐことになる。
【００７０】
バルブの開放と閉鎖にあたって、取付けチューブ６２０をスライドさせて開閉する以外のメカニズムは必要とされないので、本明細書により提供されるメカニズムはシンプルで費用がかからず信頼性の高いものとなる。さらに、摩擦係合を生じさせるためには円錐形状構造内面をマッチさせるだけなので特別の係合具やフィニッシングを必要としないため成型もきわめて容易となる。
【００７１】
当業者にとっては明らかなことであるが、本発明は前述の例示的な実施例の詳細に限定されるものではなく、本発明は、その本質的な属性から逸脱することなく他の特定の形態で実施することができ、したがって望まれるのは本発明の実施形態および実施例はあらゆる点で例示的であり限定的ではないと考えられるべきであり、参照されるべきは添付の特許請求の範囲であって前記の発明の詳細な説明ではなく、特許請求の範囲と等価な意味と範囲内でのすべての変更は、本明細書に包含されることが意図されている。
【００７２】
本明細書に記載された実施形態及び添付の図面の記述は、発明の範囲を限定することなく、単に本発明の理解を高めるためだけのものであることは明らかである。また、当業者が本明細書を読んだ後に、本発明に含まれる範囲内で添付の図や上記実施形態に変更・修正を加えることができることも明らかである。
【００７３】
明瞭化のため、別々の実施形態として説明された発明の特徴もまた、単一の実施形態としてまとめてもよいことは理解されよう。反対に、簡潔性のため、単一の実施形態によって説明された発明のさまざまな特徴も、別々の実施形態、またはいくつかの実施形態の組み合わせで提供されてもよいことは理解されよう。
【図１】
2015519172.tif 000003
【図２】
2015519172.tif 000004
【図３】
2015519172.tif 000005
【図４】
2015519172.tif 000006
【図５】
2015519172.tif 000007
【図６】
2015519172.tif 000008
【図７】
2015519172.tif 000009
【図８】
2015519172.tif 000010
【国際調査報告】
2015519172.tif 000011
2015519172.tif 000012
2015519172.tif 000013
2015519172.tif 000014
2015519172.tif 000015